(57)【要約】【課題】本発明の主な目的は、生産コストを低下させることができるセンサーシステ提供することにある。【解決手段】上記課題を解決するために本発明では、上記課題を解決するために本発明では、パネルと、反射素子と、プロセッサーと、を含む操作物の位置を検出するためのセンサーシステムを提供する。前記パネルは、第一表面と、第一区域と、第三区域と、を具備する。前記反射素子は、前記第一平面の上に置かれるように前記第一辺に設置され、且つ前記第一平面に垂直する鏡面式反射面から構成されて、前記第一区域を反射して第二区域を形成し、前記第三区域を反射して第四区域を形成する第二平面を具備する。前記画像検出装置は、前記第一表面の上に置かれるように前記第三辺と第四辺の交叉点に設置され、前記第三区域と前記第四区域を検出する。前記プロセッサーは、前記画像検出装置に電気接続されている。【選択図】図２
2010108493.tif 000002
【特許請求の範囲】
【請求項１】
操作物の位置を検出するセンサーシステムにおいて、
第一表面と、前記第一表面に位置し、且つ順に接続される第一辺と第二辺と第三辺と第四辺を具備する四辺形区域から構成される第一区域と、前記第一区域の略中心に置かれるように前記第一表面に位置し、且つ面積が前記第一区域より小さい四辺形区域から構成される第三区域と、を具備するパネルと、
前記第一平面の上に置かれるように前記第一辺に設置され、且つ前記第一平面に垂直する鏡面式反射面から構成されて、前記第一区域を反射して第二区域を形成し、前記第三区域を反射して第四区域を形成する第二平面を具備する反射素子と、
前記第一表面の上に置かれるように前記第三辺と第四辺の交叉点に設置され、前記第三区域と前記第四区域を検出できるようにする画像検出装置と、
前記画像検出装置に電気接続されているプロセッサーと、を含み、
前記画像検出装置を通過し、前記反射素子の第二平面の垂直し、且つ前記第一平面の上に置かれる仮定線は、前記第三区域と第四区域の外部に位置し、
前記操作物を前記第三区域に接近させる場合、前記反射素子により形成される前記操作物の第一鏡像が前記画像検出装置の画像検出範囲に入るので、画像検出装置が操作物と前記第一鏡像を検出し、前記プロセッサーが前記操作物の位置を計算し出すことを特徴とするセンサーシステム。
【請求項２】
前記画像検出装置が第一センシング線路に沿って前記操作物を検出する一方、第二センシング線路に沿って第一鏡像を検出し、前記プロセッサーが前記第一センシング線路と第二センシング線路により前記操作物の位置を計算し出すことを特徴とする請求項１に記載のセンサーシステム。
【請求項３】
前記第一区域の形状が矩形であることを特徴とする請求項２に記載のセンサーシステム。
【請求項４】
前記第三区域の形状が矩形であり、且つ第三区域のいずれか１つの辺と前記第一区域の第三辺が平行するか重なっていることを特徴とする請求項３に記載のセンサーシステム。
【請求項５】
前記第三区域の中心と前記第一区域の中心が重なっていることを特徴とする請求項４に記載のセンサーシステム。
【請求項６】
前記第三区域のいずれか２つの二辺と前記第一区域の第三辺及び第二辺が重なっていることを特徴とする請求項４に記載のセンサーシステム。
【請求項７】
前記第三区域の形状が矩形ではない四辺形であることを特徴とする請求項３に記載のセンサーシステム。
【請求項８】
前記プロセッサーの内部には、第一辺と第三辺との間の第一距離「Ｄ１」に関する情報が記録され、前記プロセッサーが前記操作物の位置を検出する過程は、
前記第一センシング線路と前記第三辺との間の第一角度「Ａ１」を確定するステップと、
前記第二センシング線路と前記第三辺との間の第二角度「Ａ２」を確定するステップと、
公式Ｄ１＝（Ｄ２・ｔａｎＡ１＋Ｄ２・ｔａｎＡ２）／２により前記操作物と前記第四辺との間の第二距離「Ｄ２」を計算するステップと、を含むことを特徴とする請求項３に記載のセンサーシステム。
【請求項９】
前記センサーシステムは、前記第一表面の上に置かれるように前記第二辺に形成される第一線形光源と、前記第一表面の上に置かれるように前記第三辺に設置されている第二線形光源と、をさらに含み、
前記第一線形光源の第二鏡像が反射素子の反対側に形成され、
前記第二線形光源の第三鏡像が反射素子の反対側に形成され、前記第四辺の第三鏡像が前記反射素子の反対側に形成され、
前記反射素子と、第一線形光源と、第二線形光源と、第四辺とは、前記第一区域の周囲に設置され、
前記反射素子と、第二鏡像と、第三鏡像と、第四鏡像とは、前記第二区域の周囲に設置され、
前記第一線形光源の少なくとも一部分と、前記第二鏡像の少なくとも一部分と、前記第三鏡像の少なくとも一部分とも前記画像検出装置の検出範囲に入っていることを特徴とする請求項３に記載のセンサーシステム。
【請求項１０】
前記センサーシステムは、前記画像検出装置の傍に設置されて赤外線のような不可視光線を発光する発光ダイオードから構成される第一光源と、前記パネルの第一平面の上に置かれるように前記パネルの第一区域の第二辺に設置される第一反射体と、前記パネルの第一平面の上に置かれるように前記パネルの第一区域の第三辺に設置される第二反射体と、をさらに含み、
前記第一反射体の第二鏡像が前記反射素子の反対側に形成され且つ第一反射体に前記第一光源の光線を反射させる第一レトロ反射表面が形成され、前記第二反射体の第三鏡像が前記反射素子の反対側に形成され且つ前記第二反射体に前記第一光源の光線を反射させる第二レトロ反射表面が形成され、前記パネルの第一区域の第四辺の第四鏡像が前記反射素子の反対側に形成され、前記反射素子、第一反射体、第二反射体、第四辺が前記第一区域の周囲に回り、前記反射素子、第二鏡像、第三鏡像、第四鏡像が前記第二区域の周囲に回り、前記第一反射体の少なくとも一部分、前記第二鏡像の少なくとも一部分、前記第三鏡像の少なくとも一部分が前記画像検出装置の検出範囲の内に入り、前記画像検出装置は、画像検出用窓口と前記画像検出用窓口の前に設置されて赤外線だけを通過させるフィルタを含むことを特徴とする請求項３に記載のセンサーシステム。
【請求項１１】
前記センサーシステムは、前記パネルの第一平面の上方、且つ第三区域の外に設置される第一光源をさらに含み、
前記第一光源の第二鏡像が前記反射素子の反対側に形成され、
前記第一光源とその第二鏡像が前記画像検出装置の検出範囲の外に位置し、前記操作物に前記第一光源の光線を反射させて操作物の第一鏡像を形成する反射表面が形成されていることを特徴とする請求項２に記載のセンサーシステム。
【請求項１２】
前記操作物には、光線を発光して操作物の第一鏡像を形成する発光装置が形成されていることを特徴とする請求項２に記載のセンサーシステム。
【発明の詳細な説明】
【技術分野】
【０００１】
本発明は、センサーシステム（ｓｅｎｓｉｎｇ  ｓｙｓｔｅｍ）に関し、特に反射素子（ｒｅｆｌｅｃｔｉｖｅ  ｅｌｅｍｅｎｔ）を有するセンサーシステムに関する。
【背景技術】
【０００２】
タッチシステム（ｔｏｕｃｈ  ｓｙｓｔｅｍ）に関する技術は多く公開されている。例えば、アメリカの特許４，７８２，３２８、特許６，８０３，９０６等を参照することができる。上述した２つの特許に記載されるタッチシステムには、少なくとも２つのセンサーが設置されているので、タッチシステムの生産コストが高くなる。以下、１つの特許に対して説明する。
【０００３】
図１は、従来の技術に係るタッチパネルシステムを示す図である。アメリカ特許の４，７８２，３２８に記載されるタッチパネルシステム（ｔｏｕｃｈ  ｓｃｒｅｅｎ  ｓｙｓｔｅｍ）１００は、パネル（ｐａｎｅｌ）１１０と、第一光学式センサー（ｐｈｏｔｏｓｅｎｓｏｒ）１２０と、第二光学式センサー１３０と、プロセッサー（ｐｒｏｃｅｓｓｏｒ）１４０と、を含む。前記パネル１１０は、外形が矩形であるタッチパネル区域（ｔｏｕｃｈ  ｓｃｒｅｅｎ  ａｒｅａ）１１２を具備する。前記第一光学式センサー１２０と第二光学式センサー１３０は、前記タッチパネル区域１１２の一辺１１２ａ（ｂｏｕｎｄａｒｙ）の両端に設置されている。前記タッチパネル区域１１２は、前記第一光学式センサー１２０のセンシング範囲（ｓｅｎｓｉｎｇ  ｒａｎｇｅ）と前記第二光学式センサー１３０のセンシング範囲に入っている。前記第一光学式センサー１２０と第二光学式センサー１３０は、前記プロセッサー１４０に電気接続されている。
【０００４】
操作物（ｐｏｉｎｔｅｒ）１５０で前記タッチパネル区域１１２を押したり滑らせたりする場合、前記第一光学式センサー１２０と第二光学式センサー１３０は第一センシング線路（ｓｅｎｓｉｎｇ  ｐａｔｈ）１６２と第二センシング線路１６４に沿って前記操作物１５０の位置をセンシングする。前記プロセッサー１４０は、前記第一光学式センサー１２０と第二光学式センサー１３０のセンシングデータにより前記操作物１５０の位置を検出する。
【０００５】
しかし、上述したタッチパネルシステム１００には、２つの光学式センサー１２０と１３０が設置されているので、タッチパネルシステム１００の生産コストが高くなる欠点がある。
【０００６】
本発明の主な目的は、生産コストを低下させることができるセンサーシステ提供することにある。
【発明の概要】
【課題を解決するための手段】
【０００７】
上記課題を解決するために本発明では、パネルと、反射素子と、プロセッサーと、を含む操作物の位置を検出するためのセンサーシステムを提供する。前記パネルは、第一表面と、前記第一表面に位置し、且つ順に接続される第一辺と第二辺と第三辺と第四辺を具備する四辺形区域から構成される第一区域と、前記第一区域の略中心に置かれるように前記第一表面に位置し、且つ面積が前記第一区域より小さい四辺形区域から構成される第三区域と、を具備する。前記反射素子は、前記第一平面の上に置かれるように前記第一辺に設置され、且つ前記第一平面に垂直する鏡面式反射面から構成されて、前記第一区域を反射して第二区域を形成し、前記第三区域を反射して第四区域を形成する第二平面を具備する。前記画像検出装置は、前記第一表面の上に置かれるように前記第三辺と第四辺の交叉点に設置され、前記第三区域と前記第四区域を検出する。前記プロセッサーは、前記画像検出装置に電気接続されている。
【０００８】
前記画像検出装置を通過し、前記反射素子の第二平面の垂直し、且つ前記第一平面の上に置かれる仮定線が前記第三区域と第四区域の外部に位置する。前記操作物を前記第三区域に接近させる場合、前記反射素子により形成される前記操作物の第一鏡像が前記画像検出装置の画像検出範囲に入るので、画像検出装置が操作物と前記第一鏡像を検出し、前記プロセッサーが前記操作物の位置を計算し出す。
【０００９】
前記センサーシステムにおいて、前記画像検出装置が第一センシング線路に沿って前記操作物を検出する一方、第二センシング線路に沿って第一鏡像を検出し、前記プロセッサーが前記第一センシング線路と第二センシング線路により前記操作物の位置を計算し出す。
【００１０】
前記センサーシステムにおいて、前記第一区域と前記第三区域の形状が矩形である。前記第三区域のいずれか１つの辺と前記第一区域の第三辺が平行するか重なっている。前記第三区域の中心と前記第一区域の中心が重なっている。前記第三区域のいずれか２つの二辺と前記第一区域の第三辺及び第二辺が重なっている。
【００１１】
前記センサーシステムにおいて、前記プロセッサーの内部には、第一辺と第三辺との間の第一距離「Ｄ１」に関する情報が記録されている。前記プロセッサーが前記操作物の位置を検出する過程は、前記第一センシング線路と前記第三辺との間の第一角度「Ａ１」を確定するステップと、前記第二センシング線路と前記第三辺との間の第二角度「Ａ２」を確定するステップと、公式Ｄ１＝（Ｄ２・ｔａｎＡ１＋Ｄ２・ｔａｎＡ２）／２により前記操作物と前記第四辺との間の第二距離「Ｄ２」を計算するステップと、を含む。
【００１２】
前記センサーシステムは、前記第一表面の上に置かれるように前記第二辺に形成される第一線形光源と、前記第一表面の上に置かれるように前記第三辺に設置されている第二線形光源と、をさらに含む。前記第一線形光源の第二鏡像が反射素子の反対側に形成され、前記第二線形光源の第三鏡像が反射素子の反対側に形成され、前記第四辺の第三鏡像が前記反射素子の反対側に形成されている。前記反射素子と、第一線形光源と、第二線形光源と、第四辺とは、前記第一区域の周囲に設置され、前記反射素子と、第二鏡像と、第三鏡像と、第四鏡像とは、前記第二区域の周囲に設置されている。前記第一線形光源の少なくとも一部分と、前記第二鏡像の少なくとも一部分と、前記第三鏡像の少なくとも一部分とも前記画像検出装置の検出範囲に入っている。
【００１３】
前記センサーシステムは、前記画像検出装置の傍に設置されて赤外線のような不可視光線を発光する発光ダイオードから構成される第一光源と、前記パネルの第一平面の上に置かれるように前記パネルの第一区域の第二辺に設置される第一反射体と、前記パネルの第一平面の上に置かれるように前記パネルの第一区域の第三辺に設置される第二反射体と、をさらに含む。前記第一反射体の第二鏡像が前記反射素子の反対側に形成され、且つ第一反射体に前記第一光源の光線を反射させる第一レトロ反射表面が形成されている。前記第二反射体の第三鏡像が前記反射素子の反対側に形成され、且つ前記第二反射体に前記第一光源の光線を反射させる第二レトロ反射表面が形成されている。前記パネルの第一区域の第四辺の第四鏡像が前記反射素子の反対側に形成されている。前記反射素子、第一反射体、第二反射体、第四辺が前記第一区域の周囲に回り、前記反射素子、第二鏡像、第三鏡像、第四鏡像が前記第二区域の周囲に回っている。前記第一反射体の少なくとも一部分、前記第二鏡像の少なくとも一部分、前記第三鏡像の少なくとも一部分が前記画像検出装置の検出範囲の内に入り、前記画像検出装置は、画像検出用窓口と前記画像検出用窓口の前に設置されて赤外線だけを通過させるフィルタを含む。
【００１４】
前記センサーシステムは、前記パネルの第一平面の上方、且つ第三区域の外に設置される第一光源をさらに含む。前記第一光源の第二鏡像が前記反射素子の反対側に形成され、前記第一光源とその第二鏡像が前記画像検出装置の検出範囲の外に位置し、前記操作物に前記第一光源の光線を反射させて操作物の第一鏡像を形成する反射表面が形成されている。
【発明の効果】
【００１５】
上述したように、本実施形態のセンサーシステムのプロセッサーは、前記反射素子と画像検出装置を介して前記操作物の位置を検出する。即ち、本実施形態のセンサーシステムが１つの画像検出装置を介して前記操作物の位置を検出するので、従来のセンサーシステムと比較して製造コストを低下させることができる。
【発明を実施するための形態】
【００１６】
図２は、本発明の第一実施形態に係るセンサーシステムを示す斜視図であり、図３は、図２に示すセンサーシステムの作動原理を説明する表面図である。図２と図３に示すセンサーシステム２００は、操作物（ｐｏｉｎｔｅｒ）２７０の存在を判断する一方、操作物２７０の位置を検出する場所に適用する。前記センサーシステム２００は、パネル２１０と、反射素子２２０と、第一線形光源２３０と、第二線形光源２４０と、画像検出装置２５０と、プロセッサー（ｐｒｏｃｅｓｓｏｒ）２６０と、を含む。前記パネル２１０は、第一表面２１４と、前記第一表面２１４に位置する第一区域２１２と、前記第一表面２１４に位置する第三区域２１６と、を含む白色板（ｗｈｉｔｅｂｏａｒｄ）或いはタッチ式パネル（ｔｏｕｃｈ  ｓｃｒｅｅｎ）である。前記第二区域２１６は、前記第一区域２１２の略中心に位置している。前記第一区域２１２は、順に接続される第一辺２１２ａと、第二辺２１２ｂと、第三辺２１２ｃと、第四辺２１２ｄと、を含む四辺形区域である。前記第三区域２１６は、面積が前記第一区域２１２より小さい四辺形区域である。本実施形態で、前記第三区域２１６のいずれか１つの辺と前記第一区域２１２の第三辺２１２ｃが平行し、第三区域２１６の中心と前記第一区域２１２の中心が重なっている。即ち、前記第三区域２１６と前記第一区域２１２との間に第三区域２１６の周囲を回る間隔（ｉｎｔｅｒｖａｌ）Ｉ１が形成されている。
【００１７】
前記反射素子２２０は、前記第一平面２１４の上に置かれるように前記第一辺２１２ａに設置されている。前記反射素子２２０の第二平面２２２は、前記第一平面２１４に垂直し、前記第二平面２２２は、鏡面式反射面である。前記第二平面２２２は、前記第一区域２１２を反射して第二区域２１２’を形成し、前記第三区域２１６を反射して第四区域２１６’を形成する。前記反射素子２２０は、平面形反射用鏡（ｐｌａｎｅ  ｍｉｒｒｏｒ）などから構成されている。前記第一線形光源２３０は、前記第一表面２１４の上に置かれるように、前記第二辺２１２ｂに形成されている。前記反射素子２２０の反射により前記第一線形光源２３０の鏡像、即ち第二鏡像２３０’が反射素子２２０の反対側に形成される。
【００１８】
前記第二線形光源２４０は、前記第一表面２１４の上に置かれるように前記第三辺２１２ｃに設置されている。前記反射素子２２０の反射により前記第二線形光源２４０の鏡像、即ち第三鏡像２４０’が反射素子２２０の反対側に形成される。前記第四辺２１２ｄの鏡像、即ち第四鏡像２１２ｄ’も前記反射素子２２０の反射により反射素子２２０の反対側に形成される。前記反射素子２２０と、第一線形光源２３０と、第二線形光源２４０と、第四辺２１２ｄとは、前記第一区域２１２の周囲に設置されている。前記反射素子２２０と、第二鏡像２３０’と、第三鏡像２４０’と、第四鏡像２１２’とは、前記第二区域２１２’の周囲に設置されている。
【００１９】
前記画像検出装置２５０は、前記第一表面２１４の上に置かれるように前記第三辺２１２ｃと第四辺２１２ｄが交叉する交叉点Ｃ１に設置されている。前記第三区域２１６と第四区域２１６’は、前記画像検出装置２５０の検出範囲に入っている。前記第一線形光源２３０の少なくとも一部分と、前記第二鏡像２３０’の少なくとも一部分と、前記第三鏡像２４０’の少なくとも一部分とも前記画像検出装置２５０の検出範囲に入っている。本実施形態で、前記第一線形光源２３０の一部分と、前記第二鏡像２３０’の一部分と、前記第三鏡像２４０’の一部分と、が前記画像検出装置２５０の検出範囲に入っている。前記画像検出装置２５０の視角（ｆｉｅｌｄ  ａｎｇｌｅ）Ｇ１が９０度より小さい。前記画像検出装置２５０を通り、前記反射素子２２０の第二平面２２２の垂直し、且つ前記第一平面２１４の上に置かれる仮定線Ｎ１は、前記第三区域２１６と第四区域２１６’の外部に位置している。即ち、前記仮定線Ｎ１は、前記第三区域２１６と第四区域２１６’の内部を通らない。本実施形態で、前記仮定線Ｎ１は、前記第四辺２１２ｄと第四鏡像２１２ｄ’に重なっている。前記プロセッサー２６０は、前記画像検出装置２５０に電気接続されている。
【００２０】
以下、本実施形態のセンサーシステム２００の作動方式に対して説明する。図４は、図３に示すプロセッサー２６０が操作物２７０の位置を計算することを説明する図であり、図５は、図３に示す画像検出装置２５０の画像検出用窓口を示す図である。前記操作物２７０（図２を参照なさい）を前記第三区域２１６に接近させる場合、前記操作物２７０の第一鏡像２７０’が前記反射素子２７０の反射により反射素子２７０の反対側に形成される。前記操作物２７０と前記第一鏡像２７０’が前記画像検出装置２５０の画像検出範囲に入る場合、画像検出装置２５０が操作物２７０と前記第一鏡像２７０’を検出し、前記プロセッサー２６０が前記操作物２７０の位置を計算し出す。即ち、前記画像検出装置２５０が第一センシング線路２８２に沿って前記操作物２７０を検出する一方、第二センシング線路２８４に沿って第一鏡像２７０’を検出する。前記プロセッサー２６０は、前記第一センシング線路２８２と第二センシング線路２８４により前記操作物２７０の位置を計算し出す。
【００２１】
前記第三区域２１６に接近する前記操作物２７０の部分は、操作物２７０の先端２７２（図２を参照なさい）であり、前記第四区域２１６’に接近する第一鏡像２７０’の部分は、第一鏡像２７０’の先端２７２’である。且つ、前記仮定線Ｎ１が前記第三区域２１６と第四区域２１６’の内部を通らないので、前記第三区域２１６の操作物２７０の先端２７２及び前記第四区域２１６’の第一鏡像２７０’の先端２７２’と、前記画像検出装置２５０が一線に置かれる可能性がない。
【００２２】
詳しい説明すると、前記画像検出装置２５０は画像検出用窓口２５２を含む。前記操作物２７０を前記第三区域２１６に接近させない場合、前記第一線形光源２３０、第二鏡像２３０’、第三鏡像２４０’の光線により前記画像検出用窓口２５２に輝度（ｂｒｉｇｈｔｎｅｓｓ）が高い高輝度区域（ｂｒｉｇｈｔ  ｚｏｎｅ）２５４が形成される。即ち、主な検出区域（ｐｒｉｍａｒｙ  ｓｅｎｓｉｎｇ  ｚｏｎｅ）が形成される。前記操作物２７０を前記第三区域２１６に接近させる場合、前記画像検出装置２５０が第一センシング線路２８２に沿って前記操作物２７０を検出し、且つ前記画像検出用窓口２５２の高輝度区域２５４に第一暗線（ｏｂｓｃｕｒｅ  ｌｉｎｅ）２５２ａが形成される一方、前記画像検出装置２５０が第一電気信号を出力する。前記プロセッサー２６０は、前記第一電気信号と前記高輝度区域２５４に形成される前記第一暗線２５２ａの位置により、第一センシング線路２８２と第三辺２１２ｃとの間の第一角度Ａ１を確定する。即ち、前記プロセッサー２６０は、内部に記録される前記画像検出用窓口２５２に形成される暗線の位置と、センシング線路と第三辺２１２ｃとの間の角度と、の関係式により、前記第一角度Ａ１を確定する。
【００２３】
且つ、前記画像検出装置２５０が第二センシング線路２８４に沿って前記第一鏡像２７０’を検出する場合、前記画像検出用窓口２５２の高輝度区域２５４に第二暗線２５２ｂが形成される一方、前記画像検出装置２５０が第二電気信号を出力する。前記プロセッサー２６０は、前記第二電気信号と前記高輝度区域２５４に形成される前記第二暗線２５２ｂの位置により、第二センシング線路２８４と第三辺２１２ｃとの間の第二角度Ａ２を確定する。前記第一線形光源２３０と前記第二線形光源２４０の輝度が高ければ高いほど、前記高輝度区域２５４により明らかな第一暗線２５２ａと第二暗線２５２ｂが形成される。
【００２４】
前記プロセッサー２６０の内部には、第一辺２１２ａと第三辺２１２ｃとの間の第一距離Ｄ１に関する情報が記録されている。本実施形態で、前記第三辺２１２ｃが直角座標（Ｃａｒｔｅｓｉａｎ  ｃｏｏｒｄｉｎａｔｅ  ｓｙｓｔｅｍ）のＸ軸になり、前記第四辺２１２ｄが直角座標のＹ軸になり、前記第三辺２１２ｃと第四辺２１２ｄの交叉点Ｃ１が直角座標の原点（０、０）になる。前記操作物２７０のＸ軸は、操作物２７０と第四辺２１２ｄとの間の第二距離Ｄ２を示し、操作物２７０と第一鏡像２７０’との間の中心点が第一辺２１２ａの上に置かれているので、Ｄ１＝（Ｄ２・ｔａｎＡ１＋Ｄ２・ｔａｎＡ２）／２である。即ち、前記操作物２７０の位置座標は、前記公式により計算することができる。上述した実施形態で、直角座標を介して前記操作物２７０の位置を検出したが、他の実施形態で、他の座標を介して前記操作物２７０の位置を検出してもよい。
【００２５】
上述したように、本実施形態のセンサーシステム２００のプロセッサー２６０は、前記反射素子２２０と画像検出装置２５０を介して前記操作物２７０の位置を検出する。即ち、本実施形態のセンサーシステム２００は、１つの画像検出装置２５０を介して前記操作物２７０の位置を検出するので、従来のセンサーシステム２００と比較して製造コストを低下させることができる。
【００２６】
図６は、本発明の第二実施形態に係るセンサーシステムを示す図である。図３のセンサーシステム２００と図６のセンサーシステム３００が違い所は、センサーシステム３００のパネル３１０の第三区域３１６のいずれか２つの二辺と前記第一区域３１２の第三辺３１２ｃ及び第二辺３１２ｂが重なっていることである。即ち、第三区域３１６と第一区域３１２の間にＬ形の間隔Ｉ２が形成されている。
【００２７】
図７は、本発明の第三実施形態に係るセンサーシステムを示す図である。図３のセンサーシステム２００と図７のセンサーシステム４００が違い所は、センサーシステム４００のパネル４１０の第三区域４１６の形状が非矩形である四辺形であることである。
【００２８】
図８は、本発明の第四実施形態に係るセンサーシステムを示す図である。図２のセンサーシステム２００と図８のセンサーシステム５００が違い所は、図８のセンサーシステム５００に第一線形光源２３０と第二線形光源２４０が設置されないことである。前記センサーシステム５００は、前記パネル５１０の第一平面５１４の上方、且つ第三区域５１６の外に設置される第一光源５３０を含む。前記第一光源５３０の第二鏡像５３０’は、反射素子５２０により反射素子５２０の反対側に形成される。前記第一光源５３０と前記第二鏡像５３０’は、画像検出装置５５０の検出範囲の外に位置している。操作物５７０には、ヨーロッパのＥＮ４７１の規定に適用する反射材料から製造する反射表面５７２が形成されている。
【００２９】
前記第一光源５３０は、不可視光線、例えば波長が９４０ナノメートル（ｎｍ）である赤外線を発光する。前記反射素子５２０の反対側に形成される操作物５７０の第一鏡像（図に示さない）は、前記第一光源５３０の不可視光線が前記操作物５７０の反射表面５７２により形成されることである。前記画像検出装置５５０は、画像検出用窓口５５２の前に設置されるフィルタ（ｆｉｌｔｅｒ）５５６を具備する。前記操作物５７０の反射表面５７２は、第一光源５３０の不可視光線を前記フィルタ５５６へ反射させ、前記フィルタ５５６は、前記反射表面５７２に反射される光線を濾過して不可視光線だけが前記画像検出用窓口５５２に到達するようにする。前記画像検出装置５５０は、前記操作物５７０の第一鏡像も検出することができる。本実施形態の第三区域５１６は、矩形でない四辺形である（図に示さない）。
【００３０】
図９は、本発明の第五実施形態に係るセンサーシステムを示す図である。図２のセンサーシステム２００と図９のセンサーシステム６００が違い所は、図９のセンサーシステム６００に第一線形光源２３０と第二線形光源２４０が設置されないことである。図９の操作物６７０には、発光装置６７２が形成され、操作物６７０の第一鏡像（図に示さない）は、前記発光装置６７２の光線により形成される。画像検出装置６５０は、操作物６７０と、反射素子６２０の反対側に形成される操作物６７０の第一鏡像を検出することができる。本実施形態の第三区域６１６は、矩形でない四辺形である（図に示さない）。
【００３１】
図１０は、本発明の第六実施形態に係るセンサーシステムを示す図である。図３のセンサーシステム２００と図１０のセンサーシステム７００が違い所は、図１０のセンサーシステム７００に第一線形光源２３０と第二線形光源２４０が設置されないことである。本実施形態のセンサーシステム７００は、第一光源７９０と、第一反射体７３０と、第二反射体７４０と、を含む。前記第一光源７９０は画像検出装置７５０の傍に設置されて、赤外線などのような不可視光線を発光する発光ダイオードである。前記画像検出装置７５０は、画像検出用窓口７５２の前に設置されて赤外線だけを通過させるフィルタを含むことができる。
【００３２】
前記第一反射体７３０は、パネル７１０の第一平面７１４の上に置かれるように、前記パネル７１０の第一区域７１２の第二辺７１２ｂに設置されている。前記第一反射体７３０は、レトロ反射材料（ｒｅｔｒｏ−ｒｅｆｌｅｃｔｉｖｅ  ｍａｔｅｒｉａｌ）から構成されて、第一光源７９０の光線を反射させる第一レトロ反射表面７３２を含む。
【００３３】
前記第二反射体７４０は、パネル７１０の第一平面７１４の上に置かれるように、前記パネル７１０の第一区域７１２の第三辺７１２ｃに設置されている。前記第二反射体７４０は、レトロ反射材料（ｒｅｔｒｏ−ｒｅｆｌｅｃｔｉｖｅ  ｍａｔｅｒｉａｌ）から構成されて、第一光源７９０の光線を反射させる第二レトロ反射表面７４２を含む。
【００３４】
前記パネル７１０の第一区域７１２の第四辺７１２ｄの第四鏡像７１２ｄ’は、反射素子７２０の反対側に形成されている。反射素子７２０、第一反射体７３０、第二反射体７４０、第四辺７１２ｄは、第一区域７１２の周囲に回っている。反射素子７２０、第二鏡像７３０’、第三鏡像７４０’、第四鏡像７１２ｄ’は、第二区域７１２’の周囲に回っている。前記第一反射体７３０の少なくとも一部分、前記第二鏡像７３０’  の少なくとも一部分、前記第三鏡像７４０’の少なくとも一部分は、画像検出装置７５０の検出範囲の内に入っている。
【００３５】
例えば、赤外線発光ダイオードから構成される第一光源７９０が発光する赤外線は、前記第一反射体７３０の第一レトロ反射表面７３２と前記第二反射体７４０の第二レトロ反射表面７４２により反射される。前記第一レトロ反射表面７３２と第二レトロ反射表面７４２に反射される赤外線と、第一実施形態の第一線形光源２３０と第二線形光源２４０の光線が同じので再度説明しない。即ち、操作物（図に示さない）の第一暗線（図に示さない）と、操作物の第一鏡像の第二暗線（図に示さない）が画像検出装置７５０の画像検出用窓口７５２に形成される。本実施形態の第三区域７１６は、矩形でない四辺形である（図に示さない）。
【図面の簡単な説明】
【００３６】
【図１】従来の技術に係るタッチパネルシステムを示す図である。
【図２】本発明の第一実施形態に係るセンサーシステムを示す斜視図である。
【図３】図２に示すセンサーシステムの作動原理を説明する表面図である。
【図４】図３に示すプロセッサーが操作物の位置を計算することを説明する図である。
【図５】図３に示す画像検出装置の画像検出用窓口を示す図である。
【図６】本発明の第二実施形態に係るセンサーシステムを示す図である。
【図７】本発明の第三実施形態に係るセンサーシステムを示す図である。
【図８】本発明の第四実施形態に係るセンサーシステムを示す図である。
【図９】本発明の第五実施形態に係るセンサーシステムを示す図である。
【図１０】本発明の第六実施形態に係るセンサーシステムを示す図である。
【符号の説明】
【００３７】
１００  タッチパネルシステム（ｔｏｕｃｈ  ｓｃｒｅｅｎ  ｓｙｓｔｅｍ）
１１０  パネル
２１０  パネル
３１０  パネル
４１０  パネル
５１０  パネル
７１０  パネル
１１２  タッチパネル区域（ｔｏｕｃｈ  ｓｃｒｅｅｎ  ａｒｅａ）
１１２ａ  辺
２１２ａ  辺
２１２ｂ  辺
２１２ｃ  辺
２１２ｄ  辺
３１２ｂ  辺
３１２ｃ  辺
７１２ｂ  辺
７１２ｃ  辺
７１２ｄ  辺
１２０  光学式センサー
１３０  光学式センサー
１４０  プロセッサー
２６０  プロセッサー
１５０  操作物
２７０  操作物
５７０  操作物
６７０  操作物
１６２  センシング線路（ｓｅｎｓｉｎｇ  ｐａｔｈ）
１６４  センシング線路
２００  センサーシステム
３００  センサーシステム
４００  センサーシステム
５００  センサーシステム
６００  センサーシステム
７００  センサーシステム
２１２  区域
２１２’  区域
２１６  区域
２１６’  区域
３１２  区域
３１６  区域
４１６  区域
５１６  区域
６１６  区域
７１２  区域
７１６  区域
２１４  平面
２２２  平面
５１４  平面
７１４  平面
２２０  反射素子
５２０  反射素子
６２０  反射素子
７２０  反射素子
２３０  線形光源
２４０  線形光源
２１２ｄ’  鏡像
２３０’  鏡像
２４０’  鏡像
２７０’  鏡像
５３０’  鏡像
７１２’  鏡像
７３０’  鏡像
７４０’  鏡像
２５０  画像検出装置
５５０  画像検出装置
６５０  画像検出装置
７５０  画像検出装置
２５２  画像検出用窓口
５５２  画像検出用窓口
７５２  画像検出用窓口
２５２ａ  暗線
２５２ｂ  暗線
２５４  高輝度区域
２７２  先端
２７２’  先端
５３０  光源
７９０  光源
５５６  フィルタ
７５６  フィルタ
５７２  反射表面
６７２  発光装置
７３０  反射体
７４０  反射体
７３２  レトロ反射表面
７４２  レトロ反射表面
Ａ１  角度
Ａ２  角度
Ｃ１  交差点
Ｄ１  距離
Ｄ２  距離
Ｇ１  距離
Ｉ１  間隔
Ｉ２  間隔
Ｎ１  仮定線
【図１】
2010108493.tif 000003
【図２】
2010108493.tif 000004
【図３】
2010108493.tif 000005
【図４】
2010108493.tif 000006
【図５】
2010108493.tif 000007
【図６】
2010108493.tif 000008
【図７】
2010108493.tif 000009
【図８】
2010108493.tif 000010
【図９】
2010108493.tif 000011
【図１０】
2010108493.tif 000012